(57)【要約】【課題】その課題は、予約モードで現像処理・スキャン処理を連続して行っている途中に、例えばリプリントオーダ等のように現像済写真フィルムを手動でセットしてスキャン処理を行いたい場合に、かかるリプリントオーダのスキャン処理を効率よく処理するプリント処理システムを提供することにある。【解決手段】本発明に係るプリント処理システム１は、フィルムプロセッサＦＰと、フィルムスキャナーＦＳと、プリント作成装置ＰＡを備え、オーダ情報の入力を受け付ける入力手段１００と、オーダ情報、そのオーダ状態及びフィルムの排出先の情報とを対応づけて格納手段に格納するオーダ情報管理手段３００と、予約モードと通常モードとの切り替えの指示を受け付ける指示受付手段３０２と、指示を受け付けた場合に、システムの処理状態を判断する判断手段３０３と、判断結果に基づいてモード切り替えを行うモード切替手段３０４を備える。【選択図】図１
2007183360.tif 000002
【特許請求の範囲】
【請求項１】
未現像写真フィルムの現像処理を行うフィルムプロセッサと、当該現像処理後の現像済写真フィルムのコマの情報を画像データとして取得するフィルムスキャナーと、当該画像データに基づいて写真プリントを作成するプリント作成装置を備えるプリント処理システムであって、
前記画像データの注文に関する情報であるオーダ情報の入力を受け付ける入力手段と、
少なくとも前記入力されたオーダ情報のオーダ状態と、当該オーダ情報に対応するフィルムの排出先の情報とを当該オーダ情報に対応づけて格納手段に格納するオーダ情報管理手段と、
現像処理とスキャン処理を連動させて現像済写真フィルムをフィルムスキャナーに自動挿入してスキャン処理を行う予約モードと、現像処理とスキャン処理を各々独立に動作させて現像済写真フィルムをフィルムスキャナーに手動挿入してスキャン処理を行う通常モードとの切り替えの指示を受け付ける指示受付手段と、
前記指示受付手段によってモード切り替え指示を受け付けた場合に、当該システムの処理状態を判断する判断手段と、
前記判断手段の判断結果に基づいてモード切り替えを行うモード切替手段と
を備えるプリント処理システム。
【請求項２】
予約モードから通常モードに切り替えを行う際に、前記モード切替手段は、前記判断結果がスキャン処理中又はスキャン処理直前の場合に、当該スキャン処理中又はスキャン処理直前のオーダの次のオーダからモード切り替えを実行する請求項１に記載のプリント処理システム。
【請求項３】
前記判断結果がスキャン処理中又はスキャン処理直前の場合に、当該スキャン処理中又はスキャン処理直前のオーダの次のオーダからモード切り替えが実行される旨の通知を行う通知手段をさらに備える請求項２に記載のプリント処理システム。
【請求項４】
前記通知手段は、
モード切り替え実行の際に、モード切替確認通知を行う請求項３に記載のプリント処理システム。
【請求項５】
前記オーダ情報管理手段は、
予約モードから通常モードにモード切り替えした場合に、フィルムスキャナーに自動挿入されずに、収納手段に排出された現像済写真フィルムのオーダ状態を選択待ち状態とし、オーダ情報に対応づけて格納手段に格納することを特徴とする請求項１から請求項４のいずれか１項に記載のプリント処理システム。
【請求項６】
前記モード切替手段は、
フィルムプロセッサからフィルムスキャナーに現像済写真フィルムを自動挿入するためのガイド手段の位置を排出先情報に応じて切り替えるように制御することを特徴とする請求項１から請求項５のいずれか１項に記載のプリント処理システム。
【発明の詳細な説明】
【技術分野】
【０００１】
本発明は、未現像写真フィルムの現像処理を行うフィルムプロセッサと、現像済写真フィルムのコマの情報を画像データとして取得するフィルムスキャナーと、当該画像データに基づいて写真プリントを作成するプリント作成装置を備えるプリント処理システムに関する。より詳細には、現像処理とスキャン処理を自動で連続処理するプリント処理システムに関する。
【背景技術】
【０００２】
未現像写真フィルムの現像処理を行うフィルムプロセッサと、現像済写真フィルムのコマの情報を画像データとして取得するフィルムスキャナーとを一体の装置として構成したものが公知である（特許文献１参照）。そして、このフィルムスキャナーで取得された画像データを通信手段で受信し、当該受信した画像データに基づいて写真プリントを作成するプリント作成装置をさらに具備したプリント処理システムがある。
【０００３】
上記のシステムにおいて、連続して未現像写真フィルムの現像処理とフィルムスキャナーによるスキャン処理（画像データ読み取り処理）を行っている最中に、手動で現像済写真フィルムをスキャナーにセットし画像データの読み取りを行わせたい場合がある。例えば、急ぎのリプリントオーダを優先して処理したい場合、スキャン処理後のデータがシステムに保存されていない場合、プリントサイズ変更に伴いスキャン解像度を変更してスキャン処理する場合等がある。
【０００４】
【特許文献１】特開平１１−２３４４７６号公報
【発明の開示】
【発明が解決しようとする課題】
【０００５】
しかし、このような場合に、上記システムでは、連続して現像・スキャン処理中のフィルムが多数存在している場合、この現像・スキャン処理が全て完了するまで、手動で現像済写真フィルムのスキャン処理を行うことができない。すなわち、連続して現像処理からスキャン処理まで行う予約モードでは、手動でスキャナーにフィルムをセットしてスキャン処理することは出来ないため、上記リプリントオーダ等を効率良く処理できない。
【０００６】
本発明は上記実情に鑑みてなされたものであり、その課題は、予約モードで現像処理・スキャン処理を連続して行っている途中に、例えばリプリントオーダ等のように現像済写真フィルムを手動でセットしてスキャン処理を行いたい場合に、かかるリプリントオーダのスキャン処理を効率よく処理するプリント処理システムを提供することにある。
【課題を解決するための手段】
【０００７】
上記課題を解決するため本発明に係るプリント処理システムは、
未現像写真フィルムの現像処理を行うフィルムプロセッサと、当該現像処理後の現像済写真フィルムのコマの情報を画像データとして取得するフィルムスキャナーと、当該画像データに基づいて写真プリントを作成するプリント作成装置を備えるプリント処理システムであって、
少なくとも前記入力されたオーダ情報のオーダ状態と、当該オーダ情報に対応するフィルムの排出先の情報とを当該オーダ情報に対応づけて格納手段に格納するオーダ情報管理手段と、
現像処理とスキャン処理を連動させて現像済写真フィルムをフィルムスキャナーに自動挿入してスキャン処理を行う予約モードと、現像処理とスキャン処理を各々独立に動作させて現像済写真フィルムをフィルムスキャナーに手動挿入してスキャン処理を行う通常モードとの切り替えの指示を受け付ける指示受付手段と、
指示受付手段によってモード切り替え指示を受け付けた場合に、当該システムの処理状態を判断する判断手段と、
判断手段の判断結果に基づいてモード切り替えを行うモード切替手段と
を備えることを特徴とする。
【０００８】
かかるプリント処理システムの作用・効果は次の通りである。すなわち、本システムは、未現像写真フィルムの現像処理を行うフィルムプロセッサと、現像済写真フィルムのコマの情報を画像データとして取得するフィルムスキャナーと、当該画像データに基づいて写真プリントを作成するプリント作成装置を備える。そして、連続してフィルムの現像処理、スキャン処理を行う場合に、フィルム毎にオーダ情報が入力され、次いで、当該オーダ情報に対応する未現像写真フィルムがセットされ、ローディングが開始される。
【０００９】
オーダ情報管理手段は、少なくともオーダ情報のオーダ状態及びフィルムの排出先情報とをオーダ情報と対応づけて情報格納手段に格納し管理する。オーダ状態は、例えば、システムの処理状態（例えば、処理待ち、スキャン処理中、スキャン処理直前、現像処理中、搬送中等）の情報を有する。また、オーダ情報管理手段は、さらに、モード、スキャナーにフィルムを挿入する形態の種類（自動挿入、手動挿入）等もオーダ情報に対応付けて管理することができる。
【００１０】
指示受付手段は、オペレータによる、予約モードと通常モードの切り替えの指示を受け付ける。このモード切り替え指示で、判断手段はシステムの処理状態を判断する。かかる判断結果に基づいてモード切り替え手段によってモード切り替えがなされる。「予約モード」は、現像処理とスキャン処理を連動させて現像済写真フィルムをフィルムスキャナーに自動挿入してスキャン処理を行うモードである。「通常モード」は、現像処理とスキャン処理を各々独立に動作させて現像済写真フィルムをフィルムスキャナーに手動挿入してスキャン処理を行うモードである。なお、以下において、予約モードを自動モードあるいは連続処理モードと称することがあるが同義である。また、通常モードを手動モードと称することがあるが同義である。
【００１１】
これにより、予約モードから通常モードへの切り換えができる状況か否かを適切に判断した上で、スキャナーにフィルムを手動でセットすることが可能となり、スキャン処理の処理効率が向上する。
【００１２】
また、本プリント処理システムにおいて、予約モードから通常モードに切り替えを行う際に、モード切替手段は、判断結果がスキャン処理中又はスキャン処理直前の場合に、当該スキャン処理中又はスキャン処理直前のオーダの次のオーダからモード切り替えを実行することは好ましい実施形態である。
【００１３】
これによって、モード切替手段は、判断結果がスキャン処理中又はスキャン処理直前の場合に、当該スキャン処理中又はスキャン処理直前のオーダの次のオーダからモード切り替えを行うので、指示受付手段によってモード切り替え指示を再度行う必要がなく、オペレータの作業を軽減できる。
【００１４】
また、本プリント処理システムにおいて、判断結果がスキャン処理中又はスキャン処理直前の場合に、当該スキャン処理中又はスキャン処理直前のオーダの次のオーダからモード切り替えが実行される旨の通知を行う通知手段を備えることは好ましい実施形態である。また、通知手段は、モード切り替え実行の際に、モード切替確認通知を行うことは好ましい実施形態である。
【００１５】
これによって、すぐに予約モードから通常モードに切り替えられない場合に、モード切り替えができない旨の通知を行えるので、オペレータに簡単に知らせることができ、誤ってオペレータが手動でフィルムをスキャナーにセットすることがないので好ましい。また、モード切り替え実行の際に、モード切替確認通知を行うことで、オペレータの確認後にモード切替を行えるので好ましい。
【００１６】
また、本プリント処理システムにおいて、オーダ情報管理手段は、
予約モードから通常モードにモード切り替えした場合に、フィルムスキャナーに自動挿入されずに、収納手段に排出された現像済写真フィルムのオーダ状態を選択待ち状態とし、オーダ情報に対応づけて格納手段に格納し管理することは好ましい。収納手段は、フィルムプロセッサーによる現像処理後の現像済写真フィルムを収納するためのものである。
【００１７】
これによって、選択待ち状態のオーダ情報を確実に識別することができるので、収納手段に排出された現像済写真フィルムをスキャン処理する場合に、選択待ち状態のオーダ情報を選択して、該当するフィルムを手動でセットしてスキャン処理を行える。
【００１８】
また、本プリント処理システムにおいて、モード切替手段は、
フィルムプロセッサからフィルムスキャナーに現像済写真フィルムを自動挿入するためのガイド手段の位置を排出先情報に応じて切り替えることは好ましい実施形態である。
【００１９】
これによって、モード切替の際に、フィルムプロセッサからフィルムスキャナーに自動挿入するためのガイド位置が排出先情報に応じて切り替わるため、例えば、リプリントオーダを優先的に処理した場合でも現像処理され排出されてくるフィルムに傷を与えることなくスムーズにストッカーに排出できる。
【００２０】
本発明において、「オーダ」は、写真プリントを作成する場合の注文単位である。「１オーダ」は、フィルム１本分についてのプリント注文に係る画像データ群を指すものである。
【００２１】
また、「オーダ情報」は、フィルム１本分の注文に関するデータであり、例えば、プリント枚数、プリントサイズ、インデックスプリントの有無、メディアへの記録の有無等である。個々のコマ画像についての詳細な設定は、画像データとして取得された後にプリント作成装置側で実行できる。
【００２２】
また、本発明において「プレジャッジ」は、画像データに基づいて写真プリントを作成する前に、適切な画質の写真プリントが作成されるか否かを判定する作業であり、より具体的には、プレジャッジ画面上で、コマ画像ごとに、色、濃度の補正値、シャープネス補正、赤目補正等の設定、プリント枚数の設定、プリントサイズの設定等を適宜設定するものである。以下、同様である。
【発明を実施するための最良の形態】
【００２３】
本発明に係るプリント処理システムの好適な実施形態を、図面を用いて説明する。図１は、フィルムプロセッサＦＰと、フィルムスキャナーＦＳで構成されるフィルム処理装置ＦＡと、プリント作成装置ＰＡを有するプリント処理システム１全体の外観構成を示す図である。なお、プリント処理システム１は、その他の装置（例えば、注文者用受付端末、記録媒体への書き込み・読み取り装置、インターネット受付可能なＰＣ端末等）を有する構成でもよい。
【００２４】
＜システムの全体構成＞
図１において、フィルム処理装置ＦＡは、未現像写真フィルムの現像処理を行うフィルムプロセッサＦＰと、現像済写真フィルムのコマの情報を光電変換により画像データとして取得するフィルムスキャナＦＳとを上下位置に配置する。そして、フィルム処理装置ＦＡは、フィルムプロセッサＦＰの排出部から排出された現像済写真フィルムをフィルムスキャナＦＳの供給部に送る供給搬送系に対して、現像済写真フィルムの供給部に送り込む供給状態と、外部に送り出す排出状態とに切り換え可能な供給搬送機構Ａとを備える。
【００２５】
このフィルム処理装置ＦＡは、通信回線を介してプリント作成装置ＰＡに接続される。プリント作成装置ＰＡは、通信機能、オーダ管理・制御機能、画像処理機能、プリント作成機能を有し、コンピュータ、ディスプレイ等の表示手段、キーボード、マウス等のインターフェースとを備えている。この構成によりフィルム処理装置ＦＡで取得した画像データは、通信回線を介してプリント作成装置ＰＡに伝送され、このプリント作成装置ＰＡにおいて印画紙等のプリント媒体にプリントされる。オーダ管理・制御機能は、画像データをオーダ単位に管理し、プリント作成の順序を設定できるように構成される。
【００２６】
なお、プリント作成装置ＰＡは銀塩式の印画紙を用いるものに制限されず、インクジェット型、昇華型のものも適用できる。
【００２７】
本発明において、フィルムプロセッサＦＰに挿入する以前の写真フィルムを未現像写真フィルムと称し、フィルムプロセッサＦＰで現像処理した後の写真フィルムを現像済写真フィルムと称する。
【００２８】
＜フィルムプロセッサ＞
フィルムプロセッサＦＰは、図１、２に示すように、プロセッサ本体の前部にフィルム挿入部１１を配置し、プロセッサ本体内部に現像処理部１２、乾燥処理部１３とを備え、プロセッサ本体の後部に排出部１４を配置し、フィルム挿入部１１から排出部１４にわたって搬送機構１５を形成している。プロセッサ本体の前部位置には各種情報を表示する液晶ディスプレイ１６Ａと複数の操作ボタン１６Ｂを有したコントロールパネル１６を備え、プロセッサ本体内部にフィルムプロセッサＦＰ全体の制御を実現する制御ユニット１７を備える。プロセッサ本体の上面には、排出部１４から送りだされる現像済写真フィルムを受け止めるフィルムストッカー１８が形成されている。
【００２９】
フィルム挿入部１１には、開閉自在な蓋体１１Ａを備え、フィルムカートリッジＣａに収容されたロール状の未現像写真フィルムをセットし、搬送機構１５に受け渡す作動系（フィルム駆動機構１１ｅ）と、フィルムの後端を切断する切断ユニット１１Ｂを備える。
【００３０】
また、フィルムの長さの情報を得るために、搬送機構１５によって搬送されるフィルム先端及び後端の通過を検出するローディング検出手段１１ｃを備える。ローディング検出手段１１ｃは、例えば、一対の光学式センサ（受光式、投光式）、反射型センサ、レーザセンサ、その他の近接センサ、イメージセンサ等で構成できるが、一対の光学式センサ（受光式、投光式）が好ましい。フィルム長さは、ローディング検出手段１１ｃがフィルム先端と後端のそれぞれを検出した時刻と搬送速度から算出される。
【００３１】
例えば、ＡＰＳフィルムの現像処理の場合、カートリッジＣａから引き出したフィルムの先端に粘着テープ等を用いてリーダＬを取り付け、蓋体１１Ａを開放して、このリーダＬが先行するようにフィルム挿入部１１にカートリッジＣａをセットする。次に、蓋体１１Ａを閉じた後、通常モードの場合に、コントロールパネル１６の所定の操作ボタン１６Ｂを操作することで制御ユニット１７の制御によってフィルム搬送（ローディング）が開始され、現像処理部１２での現像処理と、乾燥処理部１３での乾燥処理の後に排出部１４からリーダＬを先頭にしてフィルムが排出される。ここで、リーダＬは、樹脂製のフィルムと同程度の柔軟性を持つシート状であり、幅方向の一端には搬送用の複数のパーフォレーションが形成されている。なお、ＡＰＳフィルムに制限されず、１３５フィルム等の現像処理も行えることはいうまでもない。
【００３２】
予約モード又は通常モードのいずれかに設定されている場合には、オーダ情報の入力完了後に、当該オーダ情報に対応する未現像写真フィルムをフィルムプロセッサＦＰにセットし、現像処理が開始されるように（ローディングが開始されるように）制御ユニット１７によって制御される。具体的には、制御ユニット１７は、ローディングを開始するようにフィルムプロセッサＦＰの各要素を制御する。フィルム駆動機構１１ｅが、リーダＬ及びフィルムを圧着ローラで狭持しながら現像処理部１２まで搬送し、ローディング検出手段１１ｃが搬送されてきたリーダＬ及びフィルムの先端を検出すると、搬送機構部１５が駆動され、リーダＬ及びフィルムを圧着ローラで挟持して、現像処理部側に搬送する。ここで、フィルム駆動機構１１ｅと搬送機構１５は、別駆動で動作する。ここで「ローディング」は、フィルムカートリッジＣａからフィルムが搬送機構１５によって引き出され、現像処理部１２に搬送される動作を意味する。
【００３３】
現像処理部１２は、発色現像槽、漂白槽、定着槽、安定槽を有し、現像処理部１２内部において搬送機構１５は、リーダＬ及びフィルムを搬送する複数の圧着型のローラを備えている。また、乾燥処理部１３は、現像処理部１２から搬送されてきたフィルムを乾燥するブロワ１３Ａを備える。
【００３４】
搬送機構１５は、搬送経路の各部に圧着ローラ１５Ａと、この圧着ローラ１５Ａを電動モータ（不図示）で同期駆動する駆動系を備える。
【００３５】
フィルムストッカー１８（収納手段に相当する）は、排出部１４からリーダＬが排出される際に、フィルムスキャナＦＳへフィルムを供給するための供給搬送機構Ａ（ガイド手段に相当する）が、排出状態（フィルムスキャナＦＳに供給できない状態、フィルムスキャンＦＳで直前のフィルムが未だスキャン処理されている状態）にある場合に、リーダＬ及びフィルムが送り込まれるように構成される。
【００３６】
＜供給搬送機構＞
図２、図４、図５に示すように、供給搬送機構Ａ（ガイド手段に相当する）は、フィルムスキャナＦＳとフルムプロセッサＦＰとの間の一対の中間フレーム３０で挟まれる空間に配置される。軸体４０を介して上下方向に揺動自在に支持したガイド板４１（案内部材の一例）と、中間フレーム３０に対して支持された回動軸５０と一体的に揺動する揺動アーム５１に支持されたチャッカーＣと、これらを制御する制御ユニット３１と、このチャッカーＣから送り出されたリーダＬを受け止めるリーダトレイ３２とを有する。
【００３７】
ガイド板４１は、リーダＬの幅方向での両端部を圧着して搬送しうる幅に形成された下部ガイド板４１Ａと上部ガイド板４１Ｂとを有し、リーダＬとフィルムＦとを送る遊転ローラ４２と、圧着型の供給搬送ローラ４３を備え、下部ガイド板４１において搬送方向で供給搬送ローラ４３より上流位置にはフィルムＦの幅より充分に広い幅の開放空間４１Ｓを形成してフィルムＦが自重で下方に弛む現象を許す。
【００３８】
供給搬送ローラ４３は、駆動ローラと圧着ローラとで構成され駆動ローラは搬送モータによって駆動される。フィルムＦの搬送方向でガイド板４１の下流側には第１センサＳ１を備え、この第１センサＳ１より更に下流側に固定刃４６Ａと、可動刃４６Ｂと、可動刃４６Ｂを作動させるカッターモータ４６Ｃを備える。
【００３９】
ガイド板４１は、フィルム搬送可能とする供給位置Ｘ１と（図４（ａ））、排出位置Ｘ２（図４（ｂ））とに切り替え自在に構成される。
【００４０】
チャッカーＣは、揺動アーム５１の揺動端に備えた第２センサＳ２と、駆動ローラ５２と、この駆動ローラ５２に圧着する圧着ローラ５３とで構成され、チャッカーＣは回動軸５０の回動によって図４（ａ）に示すチャック位置Ｃ１と、図４（ｂ）に示す受け渡し位置Ｃ２とに切り替え自在に構成されるように、回動軸５０を駆動する回動モータ５４を中間フレーム３０に備える。
【００４１】
チャッカーＣを受け渡し位置Ｃ２にセットした場合には、このチャッカーＣとガイド板４１の搬送終端との中間に前方の開放するループ形成空間Ｚを形成しており、この空間にループストッカー３３を備えて、送り出されたフィルムＦを大きく弛ませてループ状に貯留できるようにしている。ここでのループ形成を第２ループ形成と称す。第１、２センサＳ１、Ｓ２は、光源（Ｓｂ）と受光素子（Ｓａ）からなる一対の光学式センサで構成される。
【００４２】
フィルムプロセッサＦＰの制御ユニット１７と、フィルムスキャナＦＳの制御ユニット２５と、供給搬送機構Ａの制御ユニット３１と、コンピュータ（ＣＰＵ、メモリ等で構成される）とは、それぞれ相互に通信可能であり、現像処理されたフィルムのサイズ、長さの情報は、各制御ユニット、コンピュータに送信され、スキャン処理の有無の情報がコントロールパネル１６又はコンピュータから供給搬送機構Ａに伝送される。
【００４３】
フィルム処理装置ＦＡでは、フィルム現像のみを行う場合には、供給搬送機構Ａを排出位置Ｘ２に制御して、フィルムプロセッサＦＰの排出部１４から排出されたフィルムをそのままフィルムストッカー１８に送り出す。また、スキャンニングを行う必要がある場合、排出部１４から排出されたフィルムを、供給搬送機構Ａを供給位置Ｘ１に制御して、フィルムスキャナＦＳに供給する。
【００４４】
＜予約モード＞
本発明においては、例えば、予約モードに設定することにより、フィルムストッカー１８にフィルムが排出されないように、連続して現像処理・スキャン処理が実行されるように構成される。以下に、図面を用いてこの予約モードの動作について説明する。
【００４５】
供給搬送機構Ａを供給位置Ｘ１に配置し、チャッカーＣをチャック位置Ｃ１にセットする。ガイド板４１を供給位置Ｘ１にセットした状態では供給搬送ローラ４３、チャッカーＣの駆動ローラ５２とが駆動される。そして、排出部１４からフィルムＦが排出されると、ガイド板４１に挿入され、遊転ローラ４２から供給搬送ローラ４３に送られ、搬送モータ４４とチャッカーＣとで更に搬送される。なお、図中、Ｌ（ｆ）は、リーダＬ及びフィルムＦを意味する。
【００４６】
供給搬送ローラ４３とチャッカーＣの搬送速度は等しく設定されているが、フィルムＦに不必要な張力を作用させないように、供給搬送ローラ４３とチャッカーＣとの搬送速度は、排出部１４から排出される搬送速度より少し低速に設定される。
【００４７】
上記のように供給搬送機構Ａに導入されたリーダＬの先端位置を第１センサＳ１と第２センサＳ２とが検出し、この検出タイミングと、供給搬送ローラ４３、チャッカーＣの各々によるリーダＬの搬送速度とに基づいてリーダＬの位置が取得される。リーダＬの位置が取得された後、フィルムが設定量だけ搬送されたタイミングで、搬送停止し、カッター４６でフィルム先端を切断し、リーダＬを切り離し、この後、チャッカーＣを駆動して、リーダＬをリーダトレイ３２に送り出し、更に、供給搬送ローラ４３とチャッカーＣとの駆動によってフィルムＦの先端（切断後の先端）をチャッカーＣでチャックされる位置まで搬送して停止する。
【００４８】
排出部１４から排出される搬送速度より低速に設定され、また、リーダＬ切断時の停止等により、図５（ａ）に示すように下部ガイド板４１Ａに形成した開放空間４１ＳからフィルムＦをループ状に弛ませて速度差を吸収する。
【００４９】
図５（ｂ）に示すように、回動モータ５４の駆動により揺動アーム５１を受け渡し位置Ｃ２にセットする。このセットの際には、供給搬送ローラ４３を駆動することによりガイド板４１からフィルムＦを送り出し、この送りだし速度よりチャッカーＣの移動速度が低速になるように揺動アーム５１を作動させる。
【００５０】
受け渡し位置Ｃ２にセットした後、供給搬送ローラ４３の駆動を継続的に行うことにより、図５（ｂ）に示すように、ループ形成空間Ｚに対してフィルムＦをループ状に弛ませ、ループストッカー３３によって受け止める。このループ形成が第２ループである。
【００５１】
そして、排出部１４からフィルム後端が排出されたことを第１センサＳ１が検出したタイミングをスキャンニングするタイミングとして、図５（ｃ）に示すようにチャッカーモータ５９を駆動することにより、チャッカーＣの駆動ローラ５２でフィルムＦを送り出し、フィルムＦ先端をフィルムスキャナＦＳのフィルムキャリア２１の供給部２１Ａに送り込み、フィルムスキャナＦＳにおいてフィルムＦのコマ画像の情報を読み取る。
【００５２】
チャッカーＣからフィルムＦを送り出す際の搬送速度は、フィルムキャリア２１でのフィルムＦの搬送速度より低速に設定され、チャッカーＣから過剰にフィルムＦを送り出す不都合を回避し、フィルムＦに過大な張力を作用させず、円滑にフィルムＦを送り込める。
【００５３】
チャッカーＣからフィルムＦを送り出す制御を行い、送り出しが完了したことを第２センサＳ２での検出結果から判別した後には、チャッカーＣをチャック位置Ｃ１にセットし、ガイド板４１を排出位置Ｘ２にセットする。
【００５４】
＜フィルムスキャナー＞
フィルムスキャナＦＳは、図１、２に示すように、スキャナー本体の下部にフィルムキャリア２１を配置し、このフィルムキャリア２１の下側に光源ユニット２２を、フィルムキャリア２１の上側にズームレンズ２３と光電変換ユニット２４とを配置している。スキャナー本体の内部に制御ユニット２５を配置し、スキャナー本体の前面にスタートボタン２６を備える。フィルムスキャナＦＳは、フィルムプロセッサＦＰに固定されて一対の中間フレーム３０の上端に支持され。排出部１４の排出ブロック上部位置に配置されている。
【００５５】
フィルムキャリア２１は、フィルムプロセッサＦＰの前部と同じ方向に現像済写真フィルムの供給部２１Ａを形成し、この供給部２１Ａからフィルムを後部側に搬送しながらスキャニングを行えるように構成される。なお、フィルムキャリア２１にフィルムを送り出す前に、フィルムからリーダＬを切り離す処理がなされる。
【００５６】
また、フィルムキャリア２１は、搬送ローラ２１Ｂを駆動する搬送モータ（不図示）と、フィルムの存否を判別する非接触型の存否センサＳＦと、フィルムの幅方向での端部にバーコード状に形成されたコード情報を取得するコードセンサ（不図示）とを備える。存否センサＳＦは、一対の光電式センサ（受光型（Ｓａ）、投光型（Ｓｂ））とで構成されるのが好ましい。
【００５７】
光源ユニット２２は、Ｒ（赤）、Ｇ（緑）、Ｂ（青）の３原色の発光ダイオード（不図示）を有し、ズームレンズ２３は、焦点距離の調節によって、フィルムのコマの情報を設定された拡大率で光電変換ユニット２４の光電変換面に結像させる。この光電変換ユニット２４は、Ｒ（赤）、Ｇ（緑）、Ｂ（青）の３原色に対応してＣＣＤ等の光電変換素子でなる３つのラインセンサ（不図示）を備える。
【００５８】
予約モードにおいては、フィルムプロセッサＦＰによる現像処理後の現像済写真フィルムが、供給搬送機構Ａに案内されて、チャッカーＣによってフィルムキャリア２１に自動的にセットされ、スキャン処理が実行される。一方、通常モードにおいては、フィルムプロセッサＦＰによる現像処理後の現像済写真フィルムが、ストッカー１８に排出される。排出されたフィルムにはリーダＬが貼り合わされているので、オペレータが手動でリーダＬをフィルムから切断する必要がある。フィルムスキャナーＦＳでは、オペレータによって手動でフィルムがフィルムキャリア２１にセットされ、スキャン処理が実行される。ここでのフィルムは、ストッカー１８に排出された現像済写真フィルム、リプリントでスキャン解像度を変更してスキャン処理させたい場合の現像済写真フィルム等が例示される。なお、通常、スキャン処理された画像データは、プリント作成装置ＰＡに送信され、保存されているが、この画像データが削除された場合には、再度スキャン処理する必要があり、かかる場合においても、通常モードでスキャン処理を行う必要がある。
【００５９】
＜プリント作成装置の機能ブロック構成＞
入力手段１００は、画像データの注文に関する情報であるオーダ情報の入力を受け付ける。例えば、モニター７に表示される操作画面（ＧＵＩ）を参照しながら、キーボード、マウス等の入力操作部８を操作して、オーダ情報が入力されるように機能する。オーダ情報入力の際には、予約モードか通常モードかを選択して入力できるように構成される。
【００６０】
制御手段２００は、入力されたオーダ情報に対応する未現像写真フィルムをフィルムプロセッサＦＰで処理するように制御する。例えば、予約モードにおいて、複数のオーダ情報を連続して入力できるように入力手段１００を制御する。また、オーダ情報の入力は、一の未現像写真フィルム分のみを入力できるように制御する機能を有する。
【００６１】
また、制御手段２００の機能としては、オーダ情報の入力後に、フィルムプロセッサＦＰにセットされた未現像写真フィルムの現像処理を開始するように制御できる。また、フィルムプロセッサＦＰに未現像写真フィルムがセットされた場合に、オーダ情報の入力が可能となるように制御できる。
【００６２】
オーダ情報管理手段３００は、入力されたオーダ情報と、当該オーダ情報のオーダ状態と、当該オーダ情報に対応するフィルムの排出先とを対応づけて格納手段に格納する。格納手段は、例えば、メモリ（以下、予約キュー３００ａと称す）等で構成される。
【００６３】
オーダ状態の情報は、少なくともシステムの処理状態の情報で構成される。また、排出先の情報は、スキャナ（供給搬送機構Ａに案内されてチャッカーＣで挟持してフィルムキャリア２１に自動でセットすることを意味する）、ストッカー（フィルムストッカー１８に排出することを意味する）を識別する情報で構成される。さらに、オーダ情報管理手段３００は、オーダ情報入力の際に設定されたモードを識別する情報（予約モード又は通常モード）及びフィルムスキャナーＦＳのスキャン処理においてフィルムを自動挿入するか、手動挿入するかを識別する情報等もオーダ情報に対応づけて予約キュー３００ａに格納するように構成してもよい（図８参照）。
【００６４】
また、オーダ情報管理手段３００は、予約モードから通常モードにモード切り替えしたことによって、フィルムスキャナーＦＳに自動挿入されずに、ストッカー１８に排出された現像済写真フィルムに対応するオーダ情報のオーダ状態を「選択待ち」状態とし、当該オーダ情報に対応づけて格納することが好ましい。
【００６５】
オーダ情報管理手段３００は、システムの処理状態を以下のように取得することができる。例えば、フィルムスキャンＦＳの制御ユニット２５にスキャン処理中か否かを問い合わせることで実行される。また、スキャン処理直前か否かの判断は、供給搬送機構Ａの制御ユニット３１に、フィルムが第１センサＳ１で検出されているか否か、又は、排出部１４に配置されたセンサ（不図示）でフィルムが排出されたことを検出したか否かを問い合わせることで実行される。また、現像処理中であるか否かの判断は、フィルムプロセッサＦＰの制御ユニット１７に現像処理中か否か（或いはローディング中か否か）を問い合わせることで実行される。なお、上記のようにオーダ情報管理手段３００が各処理主体に問い合わせする形態に限らず、各処理主体が各処理の開始・終了の情報を自動的にオーダ情報管理手段３００に送信し、オーダ情報管理手段３００が送信された情報を解析して、必要な情報を更新するように構成できる。
【００６６】
モード画面表示手段３０１は、予約モード画面又は通常モード画面をモニター７に表示させるように機能する。
【００６７】
指示受付手段３０２は、予約モードから通常モードへの切り替えの指示、及び／又は、通常モードから予約モードへの切り替えの指示を受け付ける。例えば、モード画面表示手段３０１によってモニター７に表示される予約モード画面又は通常モード画面の画面切り替え指示の受け付けや（例えば、所定のボタンをクリックする指示、各モード画面を閉じる指示等）や、操作画面上に表示された予約モードボタン又は通常モードボタンの選択指示を受け付けること等が例示される。
【００６８】
なお、モード切替操作をモニター７の画面で行うことは必須ではなく、フィルムプロセッサＦＰのコントロールパネル１６の画面から行うように構成してもよく、かかる場合、指示受付手段３０２、判断手段３０３、モード切替手段３０４の機能を制御ユニット１７に具備するようにしてもよい。
【００６９】
判断手段３０３は、指示受付手段３０２によってモード切り替え指示を受け付けた場合に、オーダ状態（例えば、システムの処理状態）を判断する。例えば、予約モード画面から通常モード画面に画面切り替えの指示がされた場合、指示受付手段３０２が、かかる指示を受け付け、この受け付けに応じて、フィルムスキャナＦＳの使用状態（スキャン処理中か否か、または、スキャン処理直前か否か（次のフィルムを供給搬送機構Ａで既に搬送しているか否か、次のフィルムをすでにチャッカーＣが挟持しているか否か等）、現像処理中か否か）を判断する。
【００７０】
モード切替手段３０４は、判断手段３０３の判断結果に基づいてモード切り替えを行う。モード切替は、例えば、予約モード画面から通常モード画面へ又は通常モード画面から予約モード画面への切り替えを確定してモニター７に表示させる。また、モード切替手段３０４は、予約モードから通常モードに切り替えを行う際に、判断結果がスキャン処理中又はスキャン処理直前の場合に、当該スキャン処理中又はスキャン処理直前のオーダの次のオーダからモード切り替えを実行できるように構成する。
【００７１】
また、モード切替手段３０４は、フィルムプロセッサＦＰからフィルムスキャナＦＳに現像済写真フィルムを自動挿入するためのガイド手段（供給搬送機構Ａ）の位置を、予約キュー３００ａに記憶された排出先情報に応じて切り替えるように、制御ユニット３１に指令を送信する。この指令を受信した制御ユニット３１は、排出先情報に応じて供給搬送機構Ａの位置を供給位置Ｘ１または排出位置Ｘ２に配置するように制御する。
【００７２】
通知手段３０５は、判断結果がスキャン処理中又はスキャン処理直前の場合に、スキャン処理中又はスキャン処理直前のオーダの次のオーダからモード切り替えを実行できる旨の通知をモニター７に表示する。または、通知手段３０５は、その旨を音（例えば、音声、ビープ音等）で通知するように構成してもよい。また、通知手段３０５は、モード切り替え実行の際に、モード切替確認通知を行う。
【００７３】
制御手段２００、オーダ情報管理手段３００、モード画面表示手段３０１、指示受付手段３０２、判断手段３０３、モード切替手段３０４、通知手段３０５の処理手順は、通常、ソフトウェアで構成され、かかるソフトウェアは、不図示のＣＰＵ、メモリ等のハードウェア資源と協働して動作するものであるが、専用回路、ファームウエア等を組み合わせて構成してもよい。当該ソフトウエアプログラムは、ＲＯＭ等のメモリに予め格納されている。
【００７４】
＜画像判定部の構成＞
画像判定部４は、フィルム処理装置ＦＡから取得した画像データに対する判定をオペレータが行なうための機能を提供し、かかる機能は主としてソフトウェアにより提供される。これは、画像データに基づいて写真プリントを作成する前に、適切な画質の写真プリントが作成されるか否かを判定するものであり、かかる作業をプレジャッジと称することとする。画像判定部４には、補正データの設定機能、プリントデータの設定機能、サムネイル画像の設定機能が主たる機能として設けられている。なお、プレジャッジは必ず行なわなければならないものではなく、プレジャッジを省略してプリント処理を行うことも可能である。なお、以下において、オーダーデータとは、１オーダに含まれる画像データ群と、プレジャッジにより設定された補正データ、プリントサイズ、プリント枚数などのプリントデータ、オーダを特定するデータ（オーダ識別ＩＤ、顧客の氏名、住所、会員ＩＤなどのデータ）により構成される。オーダ情報は、プリントデータの一部を構成する。
【００７５】
＜オーダ制御部の構成＞
オーダ制御部５は、プリント処理すべき画像データをオーダ単位に管理する機能を提供する。オーダ登録部５ａは、画像判定部４によりプレジャッジの終了したオーダーデータを記憶装置６に登録・保存する機能を有する。記憶装置６は概念的に、スプーラ６ａと呼ばれる部分と、その他の記憶部６ｂとで構成される。プリント処理すべきオーダーデータは、すべてスプーラ６ａに保存される。従って、スプーラ６ａにオーダーデータを保存することでオーダの管理を行なうことができ、プリント処理の順番や割り込みなどの制御を行なうことができる。スプーラ６ａと、記憶部６ｂは、いずれもハードディスクのような大容量記憶装置により構成することができるが、スプーラ６ａと記憶部６ｂは、ハードウェア的に別々のハードディスクにより構成してもよいし、１つのハードディスクの記憶領域を分割して、スプーラ６ａとして機能する領域と、それ以外の領域を形成してもよい。
【００７６】
プリント処理制御部５ｂは、プリント処理指令を後述する画像処理基板９（画像処理手段に相当する）に送信する。そして、この指令に従って、画像処理基板９は、オーダーデータに基づいて、画像処理を行う。
【００７７】
モニター７は、オーダ情報の入力操作画面表示以外に、その他の例えば、プレジャッジを行なうための画面やオーダ管理画面等を表示させるものであり、プリント処理等を行うために必要な画面を提供する。入力操作部８は、キーボードやマウス等により構成され、オーダ情報入力、プリント処理に必要なデータ入力や設定、各種指令を行うために用いられる。
【００７８】
画像処理基板９（画像処理手段に相当する）は、スプーラ６ａから画像データと補正データを受け取り、補正データに基づいて画像データに対する画像処理を行い、写真プリントを作成するために用いられるプリント用画像データを生成する。画像処理基板９は、受信メモリ、処理回路部、展開メモリにより構成され、処理回路部において指定された画像処理が行なわれる。具体的には、補正データに基づく色・濃度の補正、設定されたプリントサイズに従ったデータの拡縮処理などである。
【００７９】
次に、図３に示すプリント処理部の構成を簡単に説明する。ペーパーマガジン１０１には、写真感光材料（印画紙ともいう）であるペーパーがロール状に収容されている。ペーパーマガジン１０１は、２台を設置することができ、例えば、ペーパー幅の異なるペーパーを予めセットしておくことができる。ペーパーカッターは、ペーパーマガジン１０１から引き出された長尺状のペーパーを設定されたプリントサイズになるように切断する。
【００８０】
露光エンジン１０２ａは、画像処理基板９の展開メモリから送信されてくるプリント用画像データを受け取り、このプリント用画像データに基づいて、ペーパーの乳剤面に画像を焼付露光する。露光エンジン１０２ａとしては、特定の方式のものに限定されるものではなく、例えば、レーザーエンジン、ＣＲＴエンジン、ＰＬＺＴエンジンなどを用いることができる。
【００８１】
裏印字手段１０２ｂは、ペーパーの裏面に、オーダ識別ＩＤ、コマナンバー、プリント処理済枚数、プリント要求枚数、補正テータ等をプリントする機能を有する。裏印字手段１０２ｂは、例えば、ドットインパクトプリンタ、熱転写式プリンタ、インクジェットプリンタ等で実現される。
【００８２】
現像処理部１０３は、画像が焼付露光されたペーパーの現像処理を行い、乾燥処理部１０４は、現像処理されたペーパーの乾燥処理を行なう。ペーパー排出部から仕上がりの写真プリントが装置本体外部に排出され、所定の集積装置（不図示）によりオーダ単位で集積される。
【００８３】
ペーパーセンサー１０６は、ペーパー排出部から排出されるペーパーを検出し、あるオーダの写真プリントが全て排出されたか否かを検出する。センサ制御部（不図示）は、ペーパーセンサー１０６の駆動制御を行なうと共に、ペーパーセンサー１０６からの信号を受信して解析する。
【００８４】
（実施形態１）
以下に、予約モードから通常モードにモード切り替えを行う場合の処理手順について図６のフローチャートを用いて説明する。今、予約モードでシステムが可動中であり、予約モード画面がモニター７に表示されている。図７（ａ）に予約モード画面の一例を示す。図７（ａ）に示すように、予約キュー３００ａに格納されているオーダ情報を読み出してオーダ情報一覧を画面中に構成する。画面下部には、通常モード画面に切り換えるための通常モード切替ボタン５０１が表示される。予約モード画面は、図８に示す予約キュー３００ａのオーダ情報のデータに基づいて、モード画面表示手段３０１の機能により提供される。図８に示すオーダ情報は、入力手段１００によってオーダ情報が入力され、入力順序に従って予約キュー３００ａに格納される。なお、ここでは、複数のオーダ情報が格納されているが、１つのオーダ情報のみが格納されていてもよい。オーダ情報入力の際に、予約モードに設定すると、自動的にスキャナーへの挿入形態は自動挿入、排出先はスキャナーに設定され、通常モードに設定すると、自動的にスキャナーへの挿入形態は手動挿入、排出先はストッカーに設定される。オーダ状態として、システムの処理状態も管理され、画面上にシステムの処理状態が表示される。図７（ａ）によれば、例えば、オーダ＃１は、自動モードで、現在スキャン処理中であることが分かり、オーダ＃２は、自動モードで、現在現像処理中であることが分かる。
【００８５】
予約モードから通常モードに切り換えて、手動でスキャン処理を行わせる場合に、図７（ａ）に示す通常モード切替ボタン５０１をクリックする。これにより指示受付手段３０２がモード切替指示を受け付けたことになり、判断手段３０３は、予約モードから通常モードにモード切り替えするか否かの判断を行う（Ｓ１）。具体的には、判断手段３０３は、フィルムプロセッサＦＰ及びフィルムスキャナーＦＳで処理が実行されているか否かを判断する。例えば、フィルムスキャナーＦＳでオーダ＃１のフィルムがスキャン処理中であると判断した場合、このオーダ＃１においてスキャン処理中フラグをＯＮにして（Ｓ２）、供給搬送機構Ａを排出位置Ｘ２にセットする（Ｓ３）。図７（ａ）に示すようにオーダ＃２のフィルムが既に現像処理中であれば、オーダ＃２はストッカー１８に排出される。すなわち、次のオーダ＃２のフィルムが自動的に供給搬送機構Ａに挿入案内されて、フィルムスキャナーＦＳにセットされることを防止する。そして、図８（ｂ）に示すようにオーダ＃２のオーダ情報のオーダ状態は、「選択待ち」状態として記憶され、オーダ＃２の現像済写真フィルムは、フィルムストッカー１８に搬送される。このフィルムストッカー１８に搬送されたオーダ＃２の現像済写真フィルムは、フィルムスキャナーＦＳに手動挿入することによりスキャン処理を実行できる。
【００８６】
オーダ＃１がスキャン処理中の場合、すぐに通常モードに切り換えることができないため、通知手段３０５は、その旨の表示（例えば、スキャン処理中です。スキャン処理完了後、次のオーダから通常モードに切り換えます。）を予約モード画面にポップアップ表示させる。
【００８７】
判断手段３０３は、予約キュー３００ａから取得したシステムの処理状態を解析することで、上記判断を行う。なお、判断手段３０３は、予約キュー３００ａからシステムの処理状態を取得せずに、直接、フィルムプロセッサーＦＰ、フィルムスキャナーＦＳ等に処理状態を問い合わせるように構成してもよい。
【００８８】
そして、オーダ＃１のスキャン処理が完了したら、ステップＳ１でモード切替判断がなされ、ステップＳ４に行き、スキャン処理中フラグをＯＦＦにする（Ｓ４）。そして、通知手段３０５は、モード切替確認通知をモニター７に表示させ、オペレータの確認指示（例えば、ＯＫボタンをクリック）で、モード切替手段３０４が、モード切替指令をモード画面表示手段３０１に行い、図７（ｂ）に示すように通常モード画面に切り換える（Ｓ５）。そして、モード切替手段３０４は、モードフラグを通常モードに変更し（Ｓ６）、フィルムプロセッサＦＰの制御ユニット１７、フィルムスキャナーＦＳの制御ユニット２５に、通常モードに変更された旨の信号を送信する。これにより、フィルムプロセッサＦＰの制御ユニット１７は、通常モードでの現像処理を実行し、フィルムスキャナーＦＳの制御ユニット２５は、通常モードでのスキャン処理を実行する。
【００８９】
次いで、通常モードに切り換わったことにより、オペレータがフィルムキャリア２１にフィルムを手動挿入してスキャン処理を実行する（Ｓ８）。
【００９０】
一方、上記ステップＳ１において、オーダ＃１のスキャン処理が未だ行われていない場合、現像処理中である場合、又は供給搬送機構Ａにフィルム先端が挿入され案内されていないと判断された場合、スキャン処理中フラグをＯＦＦにして（Ｓ４）、モード切替手段３０４の機能により、通常モード画面に切り換える（Ｓ５）。これ以後の動作は上記と同様である。
【００９１】
次に選択待ちオーダのスキャン処理について説明する。図７（ｂ）に示すように通常モード画面でオーダの一覧が表示される。オーダ＃２のフィルムは、予約モード設定にもかかわらず、フィルムスキャナーＦＳに自動挿入されずストッカー１８に排出されている。よって、オーダ＃２は「選択待ち」の表示が付されている。なお、予約モード画面にオーダ＃２を同様に表示させることもできる。この一覧から選択待ちのオーダ＃２を選択し（例えば、ダブルクリック等して選択し）、このオーダ＃２に対応する現像済写真フィルム（ストッカー１８に排出されたフィルム）を手動でフィルムスキャナーＦＳにセットし、スキャン処理を自動で実行できる。スキャン処理が完了すると、「選択待ち」の表示が削除される。ここで、「選択待ち」のオーダ＃２のオーダ情報は、オーダ情報管理手段３００の機能により削除されずに保存されているので、オーダ情報を再入力する必要がない。また、「選択待ち」のオーダを選択した場合、当該オーダのスキャン処理を確実に実行できるように待ち時間を設定する。例えば、「選択待ち」のオーダの現像済写真フィルムのスキャン処理時間（待ち時間に相当する）を、フィルムの長さ（又はコマ数）と、オーダ情報中のプリントサイズで決定されるスキャン解像度、フィルム搬送速度に基づいて算出する。そして、この算出されたスキャン処理時間経過後に、次のオーダのフィルムが供給搬送機構Ａに自動挿入され、チャッカーＣの受け渡し位置Ｃ２で待機可能なように（又は、排出部１４に現像済写真フィルムが排出されるように）、現像処理開始タイミング（ローディング開始タイミング）を制御する。この構成により「選択待ち」オーダのスキャン処理を確実に行うことができる。
【００９２】
次に、通常モードから予約モードへのモード切り替えについて図９を用いて説明する。図７（ｂ）に示すように、通常モード画面が表示され、その中央にオーダ情報の一覧が表示され、画面下部に予約モード切替ボタン５０２が表示される。今、オペレータが予約モード切替ボタン５０２をクリックした場合、判断手段３０３がスキャン処理が実行されているか否かを判断し（Ｓ１０）、スキャン処理中であれば、モード切替手段３０４は、モード切替を禁止する。一方、スキャン処理中でないと判断した場合、通知手段３０５がモード切替確認通知をモニター７に表示させ、オペレータの確認指示（例えば、ＯＫボタンをクリック）で、上記したように通常モード画面から予約モード画面（図７（ａ）参照）に切り換わる（Ｓ１１）。
【００９３】
そして、モード切替手段３０４は、モードフラグを予約モードに変更し（Ｓ１２）、フィルムプロセッサＦＰの制御ユニット１７、フィルムスキャナーＦＳの制御ユニット２５に、予約モードに変更された旨の信号を送信する。これにより、フィルムプロセッサＦＰの制御ユニット１７は、予約モードでの現像処理を実行し、フィルムスキャナーＦＳの制御ユニット２５は、予約モードでのスキャン処理を実行する。また、フィルムプロセッサＦＰの制御ユニット２５は、フィルムキャリア２１へのフィルム挿入を手動で行われる場合に禁止し、自動挿入されるタイミングでのフィルム挿入を許可するようにフィルムキャリア２１を制御する。
【００９４】
例えば、オーダ＃３を予約モードで処理する場合、モード切替手段３０４は、予約キュー３００ａに格納されたオーダ＃３の排出先情報を読み出して、排出先情報を判断する（Ｓ１３）。オーダ＃３の排出先情報が「スキャナー」であるので、供給搬送機構Ａの位置を排出位置Ｘ２から供給位置Ｘ１にセットするように制御ユニット３１に指令する（Ｓ１４）。これにより、制御ユニット３１は、供給搬送機構Ａの位置を排出位置Ｘ２から供給位置Ｘ１に配置するように電磁ソレノイド４８を制御する。仮に、排出先情報が「ストッカー」であれば、供給搬送機構Ａの位置を排出位置Ｘ２にセットするように制御ユニット３１に指令する（Ｓ１４）。
【００９５】
以上、本発明によれば、予約モードで現像処理・スキャン処理を連続して行っている途中に、例えばリプリントオーダ等のように現像済写真フィルムを手動でセットしてスキャン処理を行いたい場合に、かかるリプリントオーダのスキャン処理を効率よく処理するプリント処理システムを提供することができる。特に、現像処理数の少ない店舗では、予約モードのみで運転すると処理効率が悪いので、予約モードから通常モードに切り替えて作業を行うことが多く、本システムを有効に活用できる。また、リプリント処理数が多い店舗においても予約モードから通常モードにモード切り替えを頻繁に行うので、本システムが好適に使用できる。
【００９６】
＜別実施形態＞
上記実施形態において、オーダ情報がプリント作成装置ＰＡで入力されるように構成したが、特にこれに制限されず、フィルムプロセッサＦＰのコントロールパネル１６から入力できるように構成してもよい。
【図面の簡単な説明】
【００９７】
【図１】プリント処理システムの外観の一例を示す図
【図２】フィルム処理装置の一例を説明する図
【図３】プリント処理システムの機能を示すブロック図
【図４】供給搬送機構の一例を説明する図
【図５】連続処理の動作の一例を説明する図
【図６】処理手順を説明するフローチャート
【図７】予約・通常モード画面の切替を説明する図
【図８】予約キューに格納されるオーダ情報の一例を説明する図
【図９】処理手順を説明するフローチャート
【符号の説明】
【００９８】
ＦＰ      フィルムプロセッサ
ＦＳ      フィルムスキャナー
ＰＡ      プリント作成装置
Ａ        供給搬送機構
Ｃ        チャッカー
Ｃａ      フィルムカートリッジ
ＳＦ      存否センサ
１        プリント処理システム
１１      フィルム挿入部
１１Ａ    蓋体
１１ｃ    ローディング検出手段
１１ｄ    カートリッジ検出手段
１１ｅ    フィルム駆動機構
１２      現像処理部
１３      乾燥処理部
１４      排出部
１５      搬送機構
１６      コントロールパネル
１７      制御ユニット
１８      フィルムストッカー
２１      フィルムキャリア
２５      制御ユニット
３１      制御ユニット
１００    入力手段
２００    制御手段
３００    オーダ情報管理手段
３００ａ  予約キュー
３０１    モード画面表示手段
３０２    指示受付手段
３０３    判断手段
３０４    モード切替手段
３０５    通知手段
【図１】
2007183360.tif 000003
【図２】
2007183360.tif 000004
【図３】
2007183360.tif 000005
【図４】
2007183360.tif 000006
【図５】
2007183360.tif 000007
【図６】
2007183360.tif 000008
【図７】
2007183360.tif 000009
【図８】
2007183360.tif 000010
【図９】
2007183360.tif 000011